(57)【要約】      （修正有）【課題】自身で消費する電力を適正化できる消費電力計測装置を提供する。【解決手段】消費電力計測装置２は、対象機器の消費電力値を計測する計測部２４と、計測した消費電力値を送信する通信部２６と、計測部２４が計測した消費電力値に基づいて、計測部２４が消費電力値を計測する計測周期及び前記通信部２６が消費電力値を送信する送信周期の少なくとも何れか一方を制御する制御部２７とを備える。これにより、計測部２４が計測した消費電力値に基づいて、計測部２４は、適正な計測周期で計測したり、通信部２６は、適正な送信周期で送信したりできるので消費電力計測装置２自身で消費する電力が適正化される。【選択図】図３
2014206455.tif 000002
【特許請求の範囲】
【請求項１】
対象機器の消費電力値を計測する計測部と、
計測した消費電力値を送信する通信部と、
前記計測部が計測した消費電力値に基づいて、前記計測部が消費電力値を計測する計測周期及び前記通信部が消費電力値を送信する送信周期の少なくとも何れか一方を制御する制御部とを備える消費電力計測装置。
【請求項２】
前記制御部は、前記計測部が計測した消費電力値の変動の大きさに基づいて、前記計測周期及び前記送信周期の少なくとも何れか一方を制御する請求項１に記載の消費電力計測装置。
【請求項３】
前記制御部は、前記計測部が計測した消費電力値の大きさに基づいて、前記計測周期及び前記送信周期の少なくとも何れか一方を制御する請求項１又は２に記載の消費電力計測装置。
【発明の詳細な説明】
【技術分野】
【０００１】
本発明は、対象機器の消費電力値を計測する計測部と、計測した消費電力値を送信する通信部とを備える消費電力計測装置に関する。
【背景技術】
【０００２】
従来、消費電力計測装置として、対象機器の消費電力値を計測する計測部と、計測した消費電力値を送信する通信部とを備える消費電力計測装置が知られている。斯かる消費電力計測装置においては、計測部が、一定の周期で、対象機器の消費電力値を計測し、その後、通信部が、一定の周期で、計測した消費電力値を送信する（例えば、特許文献１）。
【０００３】
ところで、斯かる消費電力計測装置は、計測部が計測する際及び通信部が送信する際に、電力を消費する。したがって、斯かる消費電力計測装置においては、計測部が適正な周期で計測していない場合、又は通信部が適正な周期で送信していない場合には、無駄な電力を自身で消費するという問題が生じる。また、計測処理や通信処理に時間がかかり、他の付加的な処理が行えない問題が生じる。
【先行技術文献】
【特許文献】
【０００４】
【特許文献１】特開２０１０−２１６９５３号公報
【発明の概要】
【発明が解決しようとする課題】
【０００５】
よって、本発明は、斯かる事情に鑑み、自身で消費する電力を適正化し、他の付加的な処理も実行できる消費電力計測装置を提供することを課題とする。
【課題を解決するための手段】
【０００６】
本発明に係る消費電力計測装置は、対象機器の消費電力値を計測する計測部と、計測した消費電力値を送信する通信部と、前記計測部が計測した消費電力値に基づいて、前記計測部が消費電力値を計測する計測周期及び前記通信部が消費電力値を送信する送信周期の少なくとも何れか一方を制御する制御部とを備える。
【０００７】
本発明に係る消費電力計測装置によれば、制御部は、計測部が計測した消費電力値に基づいて、計測周期（計測部が消費電力値を計測する周期）及び送信周期（通信部が消費電力値を送信する周期）の少なくとも何れか一方を制御する。これにより、計測部が計測した消費電力値に基づいて、計測部は、適正な計測周期で計測したり、通信部は、適正な送信周期で送信したりできる。したがって、消費電力計測装置自身で消費する電力が、適正化される。また、設定された計測周期や通信周期が長い場合には、他の付加的な処理を実行することもできる。
【０００８】
また、本発明に係る消費電力計測装置においては、前記制御部は、前記計測部が計測した消費電力値の変動の大きさに基づいて、前記計測周期及び前記送信周期の少なくとも何れか一方を制御する、という構成でもよい。
【０００９】
また、本発明に係る消費電力計測装置においては、前記制御部は、前記計測部が計測した消費電力値の大きさに基づいて、前記計測周期及び前記送信周期の少なくとも何れか一方を制御する、という構成でもよい。
【発明の効果】
【００１０】
以上の如く、本発明に係る消費電力計測装置は、自身で消費する電力を適正化できるという優れた効果を奏する。
【図面の簡単な説明】
【００１１】
【図１】図１は、本発明の一実施形態に係る消費電力計測システムの全体概要図を示す。
【図２】図２は、同実施形態に係る消費電力計測装置の外観斜視図を示す。
【図３】図３は、同実施形態に係る消費電力計測装置の全体ブロック図を示す。
【図４】図４は、同実施形態に係る消費電力計測装置における各周期の設定テーブルを示す。
【図５】図５は、同実施形態に係る消費電力計測装置における制御を説明する図であって、各機器に対する各周期を示す。
【発明を実施するための形態】
【００１２】
以下、本発明に係る消費電力計測装置における一実施形態について、図１〜図５を参酌して説明する。この実施形態では、単相交流に本発明を適用した例について説明するが、本発明は三相交流にも同様に適用できる。
【００１３】
図１に示すように、本実施形態に係る消費電力計測システム１は、機器１０１〜１０４で消費される電力を計測する複数の消費電力計測装置（以下、単に「計測装置」ともいう）２，…を備えている。また、消費電力計測システム１は、消費電力計測装置２で計測した消費電力値のデータを管理する管理装置３と、各装置２，３に接続され、各装置２，３間でデータの送受信を可能にする通信網４とを備えている。本実施形態において、４つの計測装置２，…を用いて、４つの機器１０１〜１０４の消費電力値が計測されている。
【００１４】
計測装置２は、図２及び図３に示すように、電源コンセント１１０に接続する電源接続部２１と、機器１０１〜１０４に接続される機器接続部２２とを備えている。また、計測装置２は、機器接続部２２に接続された機器１０１〜１０４に電源コンセント１１０の電力を供給すべく、電源接続部２１及び機器接続部２２間を導電させる導電部２３を備えている。
【００１５】
そして、計測装置２は、機器１０１〜１０４の消費電力値を計測する計測部２４と、アンテナ２５を経由して、外部の装置（管理装置３）に向けて、計測した消費電力値を送信する通信部２６とを備えている。さらに、計測装置２は、装置全体を制御する制御部２７と、各種データを記憶する記憶部２８とを備えている。なお、通信部２６、制御部２７及び記憶部２８は、無線通信用ＬＳＩ(Large Scale Integration)、ＣＰＵ(Central Processing Unit)、ＲＡＭ(Random Access Memory)等から構成されている。
【００１６】
電源接続部２１は、本実施形態において、建物の壁等に設けられた電源コンセント１１０に差し込まれるプラグとしている。また、機器接続部２２は、本実施形態において、機器１０１〜１０４のプラグに差し込まれるコンセントとしている。なお、電源接続部２１及び機器接続部２２は、斯かる構成に限られない。
【００１７】
計測部２４は、機器接続部２２に接続されている機器１０１〜１０４により消費される電力を計測する。例えば、計測部２４は、導電部２３に印加される電圧と、導電部２３を流れる電流とを計測することで、機器１０１〜１０４により消費される電力を計測するように構成されている。なお、計測部２４は、斯かる構成に限れない。
【００１８】
制御部２７は、計測部２４が計測した消費電力値に基づいて、計測部２４が消費電力値を計測する計測周期を制御する計測制御部２７１と、通信部２６が消費電力値を送信する送信周期を制御する送信制御部２７２とを備えている。
【００１９】
計測制御部２７１は、計測部２４が計測した消費電力値に基づいて、計測周期を演算する計測周期演算部２７１ａを備えている。また、計測制御部２７１は、計測周期の時間が経過するごとに、計測部２４に向けて計測を指示する計測指示部２７１ｂを備えている。
【００２０】
計測周期演算部２７１ａは、計測部２４が計測した消費電力値の変動の大きさに基づいて、計測周期を演算する。具体的には、計測周期演算部２７１ａは、所定期間（例えば、３０分、１時間、６時間、１２時間、１日又は２日等）において、計測した消費電力値の変動率（最大値と最小値との比）を演算し、その変動率に対応した周期を演算する。
【００２１】
送信制御部２７２は、計測部２４が計測した消費電力値に基づいて、送信周期を演算する送信周期演算部２７２ａを備えている。また、送信制御部２７２は、送信周期の時間が経過するごとに、通信部２６に向けて送信を指示する送信指示部２７２ｂを備えている。
【００２２】
送信周期演算部２７２ａは、計測部２４が計測した消費電力値の大きさに基づいて、送信周期を演算する。具体的には、送信周期演算部２７２ａは、所定期間（例えば、３０分、１時間、６時間、１２時間、１日又は２日等）において、計測した消費電力値の最大値を演算し、その最大値に対応した周期を演算する。
【００２３】
記憶部２８は、計測部２４が計測した消費電力値のデータを記憶する計測値記憶部２８ａと、各周期演算部２７１ａ，２７２ａが周期を演算する設定情報（設定テーブル、設定式等）を記憶する設定情報記憶部２８ｂとを備えている。また、記憶部２８は、計測制御部２７１が演算した計測周期を記憶する計測周期記憶部２８ｃと、送信制御部２７２が演算した送信周期を記憶する送信周期記憶部２８ｄとを備えている。
【００２４】
本実施形態において、図４に示すように、計測制御部２７１は、所定期間における消費電力値の変動率が５０％以下である場合、計測周期を５分とし、所定期間における消費電力値の変動率が５０％より大きい場合、計測周期を１分とする。また、送信制御部２７２は、所定期間における消費電力値の最大値が５００Ｗ以下である場合、送信周期を１５分とし、所定期間における消費電力値の最大値が５００Ｗより大きい場合、送信周期を５分とする。なお、送信周期は、計測周期以上となるように設定されている。
【００２５】
本実施形態に係る消費電力計測装置２の構成については以上の通りであり、次に、本実施形態に係る消費電力計測装置２の制御について説明する。
【００２６】
まず、初期の段階においては、計測周期が１分に設定され、送信周期が５分に設定されている。したがって、１分が経過するごとに、計測指示部２７１ｂが計測部２４に向けて計測の指示をするため、計測部２４は、消費電力値を計測する。また、５分が経過するごとに、送信指示部２７２ｂが通信部２６に向けて送信の指示をするため、通信部２６は、計測値記憶部２８ａに記憶されている消費電力値のデータを管理装置３に向けて送信する。
【００２７】
そして、所定期間（例えば、１時間）が経過した際に、計測周期演算部２７１ａは、計測値記憶部２８ａに記憶されている消費電力値のデータと、設定情報記憶部２８ｂに記憶されている設定値のデータとに基づいて、計測周期を演算する。また、所定期間（例えば、１時間）が経過した際に、送信周期演算部２７２ａは、計測値記憶部２８ａに記憶されている消費電力値のデータと、設定情報記憶部２８ｂに記憶されている設定情報のデータとに基づいて、送信周期を演算する。具体的には、以下のように演算される。
【００２８】
図５に示すように、第１の機器１０１においては、消費電力値の変動率が３０％であり、消費電力値の最大値が１０００Ｗである。したがって、変動率が５０％以下であるため、計測周期は、５分に延長される一方、最大値が５００Ｗより大きいため、送信周期は、５分のまま維持される。
【００２９】
第２の機器１０２においては、消費電力値の変動率が２０％であり、消費電力値の最大値が１００Ｗである。したがって、変動率が５０％以下であるため、計測周期は、５分に延長される一方、最大値が５００Ｗ以下であるため、送信周期は、１５分に延長される。
【００３０】
第３の機器１０３においては、消費電力値の変動率が８０％であり、消費電力値の最大値が１０００Ｗである。したがって、変動率が５０％より大きいため、計測周期は、１分のまま維持される一方、最大値が５００Ｗより大きいため、送信周期は、５分のまま維持される。
【００３１】
第４の機器１０４においては、消費電力値の変動率が１００％であり、消費電力値の最大値が８０Ｗである。したがって、変動率が５０％より大きいため、計測周期は、１分のまま維持される一方、最大値が５００以下であるため、送信周期は、１５分に延長される。
【００３２】
このように、消費電力値の変動率が大きくなるに従って、計測周期が短くなり、また、消費電力値の最大値が大きくなるに従って、送信周期が短くなっている。なお、制御部２７は、各周期演算部２７１ａ，２７２ａで周期を演算した後、当該演算に使用した測定データを、計測値記憶部２８ａから消去してもよい。
【００３３】
以上より、本実施形態に係る消費電力計測装置２によれば、制御部２７は、計測部２４が計測した消費電力値の変動の大きさに基づいて、計測周期（計測部２４が消費電力値を計測する周期）を制御する。これにより、計測部２４が計測した消費電力値に基づいて、計測部２４は、適正な計測周期で計測できる。
【００３４】
したがって、計測装置２自身で消費する電力が、適正化される。また、計測周期や送信周期が長い場合には、計測装置２は他の付加的な処理も実行できる。さらに、計測部２４が適正な計測周期で計測するため、記憶している測定データの量も適正になる。これにより、例えば、記憶部２８に係る装置の小型化も図ることができる。
【００３５】
また、本実施形態に係る消費電力計測装置２によれば、制御部２７は、計測部２４が計測した消費電力値の大きさに基づいて、送信周期（通信部２６が消費電力値を送信する周期）を制御する。これにより、計測部２４が計測した消費電力値に基づいて、通信部２６は、適正な送信周期で送信できる。したがって、計測装置２自身で消費する電力が、適正化される。
【００３６】
なお、本発明に係る消費電力計測装置は、上記した実施形態の構成に限定されるものではなく、また、上記した作用効果に限定されるものではない。また、本発明に係る消費電力計測装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００３７】
上記実施形態に係る消費電力計測装置２においては、制御部２７は、計測部２４が計測した消費電力値に基づいて、計測周期及び送信周期を制御する、という構成である。しかしながら、本発明に係る消費電力計測装置２は、斯かる構成に限られない。例えば、本発明に係る消費電力計測装置２においては、制御部２７は、計測部２４が計測した消費電力値に基づいて、計測周期のみを制御する、という構成でもよく、また、制御部２７は、計測部２４が計測した消費電力値に基づいて、送信周期のみを制御する、という構成でもよい。
【００３８】
また、上記実施形態に係る消費電力計測装置２においては、制御部２７は、計測部２４が計測した消費電力値の変動の大きさに基づいて、計測周期を制御する、という構成である。しかしながら、本発明に係る消費電力計測装置２は、斯かる構成に限られない。例えば、本発明に係る消費電力計測装置２においては、制御部２７は、計測部２４が計測した消費電力値の大きさに基づいて、計測周期を制御する、という構成でもよく、また、制御部２７は、計測部２４が計測した消費電力値の大きさと消費電力値の変動の大きさとの両方に基づいて、計測周期を制御する、という構成でもよい。
【００３９】
また、上記実施形態に係る消費電力計測装置２においては、制御部２７は、計測部２４が計測した消費電力値の大きさに基づいて、送信周期を制御する、という構成である。しかしながら、本発明に係る消費電力計測装置２は、斯かる構成に限られない。例えば、本発明に係る消費電力計測装置２においては、制御部２７は、計測部２４が計測した消費電力値の変動の大きさに基づいて、送信周期を制御する、という構成でもよく、また、制御部２７は、計測部２４が計測した消費電力値の大きさと消費電力値の変動の大きさとの両方に基づいて、送信周期を制御する、という構成でもよい。
【００４０】
また、上記実施形態に係る消費電力計測装置２においては、制御部２７は、２つの設定計測周期（５分と１分）及び２つの設定送信周期（１５分と５分）に制御する、という構成である。しかしながら、本発明に係る消費電力計測装置２は、斯かる構成に限られない。例えば、本発明に係る消費電力計測装置２においては、制御部２７は、３つ以上の設定計測周期に制御する、という構成でもよく、また、制御部２７は、３つ以上の設定送信周期に制御する、という構成でもよい。
【００４１】
また、本発明に係る消費電力計測装置２は、装置の少なくとも一部を停電（通電を遮断する）させる機能（所謂、スリープ機能）を備えてもよい。具体的には、消費電力計測装置２は、スリープ制御部（図示していない）を備え、該スリープ制御部は、各部２４，２６，２７，２８の少なくとも一部を、通電する状態と停電する状態に切り替える。例えば、スリープ制御部は、計測部２４が計測する前後の所定時間及び通信部２６が送信する前後の所定時間についてのみ、通電するように制御する。
【符号の説明】
【００４２】
１…消費電力計測システム、２…消費電力計測装置、３…管理装置、４…通信網、２１…電源接続部、２２…機器接続部、２３…導電部、２４…計測部、２５…アンテナ、２６…通信部、２７…制御部、２８…記憶部、２８ａ…計測値記憶部、２８ｂ…設定情報記憶部、２８ｃ…計測周期記憶部、２８ｄ…送信周期記憶部、２７１…計測制御部、２７１ａ…計測周期演算部、２７１ｂ…計測指示部、２７２…送信制御部、２７２ａ…送信周期演算部、２７２ｂ…送信指示部、１０１…（第１の）機器、１０２…（第２の）機器、１０３…（第３の）機器、１０４…（第４の）機器、１１０…電源コンセント
【図１】
2014206455.tif 000003
【図２】
2014206455.tif 000004
【図３】
2014206455.tif 000005
【図４】
2014206455.tif 000006
【図５】
2014206455.tif 000007